(57)【要約】【課題】  制御装置がスリープ状態にあってフィルム手動巻戻しが行われたときに、必要なカメラ動作が確実に行われるようにする。【解決手段】  フィルムＦＩを手動にて巻戻すための巻戻し操作部材２，３と、少なくとも巻戻しによるフィルムの走行に連動して回転される回転部材４と、回転部材４の回転をフィルム走行状態として電気的に検出する検出装置１１と、検出装置１１を制御するとともに、検出装置１１の検出結果に基づいて動作（例えば、フィルム巻戻し表示）を行う制御装置と、操作されることで、休止状態にある制御装置を起動するための起動信号を発生するスイッチ８と、回転部材４の回転に連動してスイッチ８を操作するスイッチ操作機構６，７，７ａとを備える。【選択図】        図１
2006053207.tif 000002
【特許請求の範囲】
【請求項１】
フィルムを手動にて巻戻すための巻戻し操作部材と、
少なくとも前記巻戻しによるフィルムの走行に連動して回転される回転部材と、
該回転部材の回転をフィルム走行状態として電気的に検出する検出装置と、
該検出装置を制御するとともに、該検出装置の検出結果に基づいて動作を行う制御装置と、
操作されることで、休止状態にある前記制御装置を起動するための起動信号を発生するスイッチと、
前記回転部材の回転に連動して前記スイッチを操作するスイッチ操作機構とを備えることを特徴とするカメラ。
【請求項２】
表示装置を更に備え、前記制御装置は、前記検出装置の検出結果に基づいて前記表示装置にフィルム走行状態を表示せしめることを特徴とする請求項１に記載のカメラ。
【請求項３】
フィルムを手動にて巻戻すための巻戻し操作部材と、
カメラ動作を行う制御装置と、
操作されることで、休止状態にある前記制御装置を起動するための起動信号を発生するスイッチと、
前記巻戻し操作部材による手動巻戻し操作に伴って前記スイッチを操作するスイッチ操作機構とを備えることを特徴とするカメラ。
【発明の詳細な説明】
【技術分野】
【０００１】
本発明は、手動によるフィルム巻戻しが可能なカメラに関する。
【背景技術】
【０００２】
ロールフィルムを使用するカメラは、通常、フィルム巻戻し時に駒数カウンタ表示を１駒ごとに減算してゆくことで、撮影者にフィルム巻戻し状況を報知する（以下、巻戻し表示という）。駒数カウンタは、古くはメカ式のカウンタを用いていたが、近年ではカメラの電子化に伴い、液晶表示装置に電気的にカウンタ表示を行うものが一般的である。
【０００３】
一方、電動によるフィルム巻戻しに加えて、手動巻戻しもサポートしたカメラがある（例えば、特許文献１参照）。この種のカメラでは、電動巻戻しを前提としながらも、電源電池を節約したいときや、電動巻戻しによる騒音が周囲に影響を及ぼすようなときに手動巻戻しで対応できる。
【０００４】
ところで、カメラは、何も操作がなされない状態が所定時間継続すると、電力の消費を抑えるために省電力モードに入り、このときカメラのＣＰＵはいわゆるスリープ状態となり、通常の動作を行わない。この状態で例えばレリーズボタンが半押し操作されると、ＣＰＵに起動信号が入力され、ＣＰＵは通常の動作を行い得る状態に復帰する。
【０００５】
【特許文献１】特開2003-186094号公報
【発明の開示】
【発明が解決しようとする課題】
【０００６】
手動によるフィルム巻戻しは、電力を全く必要とせず、ＣＰＵによる制御から完全に切り離された動作であるため、たとえＣＰＵがスリープ状態であっても何ら支障はない。しかしながら、巻戻しに伴って電気的な巻戻し表示を行う場合には、ＣＰＵがスリープ状態では対応できない。このため従来カメラでは、もしＣＰＵがスリープ状態になってから撮影者がフィルムの手動巻戻しを開始した場合には、巻戻し表示が作動しないという不都合があった。
【課題を解決するための手段】
【０００７】
請求項１の発明に係るカメラは、フィルムを手動にて巻戻すための巻戻し操作部材と、少なくとも巻戻しによるフィルムの走行に連動して回転される回転部材と、回転部材の回転をフィルム走行状態として電気的に検出する検出装置と、検出装置を制御するとともに、検出装置の検出結果に基づいて動作を行う制御装置と、操作されることで、休止状態にある制御装置を起動するための起動信号を発生するスイッチと、回転部材の回転に連動してスイッチを操作するスイッチ操作機構とを備える。
特に請求項２の発明は、検出装置の検出結果に基づいて表示装置にフィルム走行状態を表示せしめるようにしたものである。
請求項３の発明は、フィルムを手動にて巻戻すための巻戻し操作部材と、カメラ動作を行う制御装置と、操作されることで、休止状態にある前記制御装置を起動するための起動信号を発生するスイッチと、巻戻し操作部材による手動巻戻し操作に伴ってスイッチを操作するスイッチ操作機構とを備える。
【発明の効果】
【０００８】
請求項１の発明によれば、フィルム走行状態の検出に用いられる回転部材の回転に連動して制御装置を起動するためのスイッチを操作するようにしたので、ＣＰＵがスリープ状態にあってもフィルムの手動巻戻しを開始することでＣＰＵを通常作動状態に復帰させることが可能となる。
請求項３の発明によれば、手動巻戻しのための巻戻し操作部材の操作に連動して上記スイッチを操作するようにしたので、上述と同様の作用効果が得られる。
【発明を実施するための最良の形態】
【０００９】
図１〜図４により本発明の一実施の形態を説明する。
図１は本実施形態におけるカメラを背面側から見た斜視図である。カメラ上面には、図示右端に液晶表示器等の外部表示装置１が設けられるとともに、左端にはフィルムを手動で巻戻すための巻戻しクランク２および巻戻しノブ３が設けられている。外部表示装置１は、図４に示す表示ドライバ２２を介してＣＰＵ２１に接続され、ＣＰＵ２１からの指示に応じて絞り値、シャッタ秒時、各種モード設定状況、フィルムカウンタ値などを表示する。
【００１０】
巻戻しノブ３の真下にはフィルムカートリッジが装填されるカートリッジ室（不図示）が設けられ、カートリッジから引き出されたフィルムＦＩはスプロケット４を介して右端の巻き取りスプール（不図示）に巻き取られる。スプロケット４は、図示の如くフィルムＦＩのパーフォレーションに噛み合い、巻上げや巻戻しによるフィルム走行に伴って回転される。この回転を後述するパルス検出器１１で検出することで、フィルム走行量を検知でき、またスプロケット４の回転をメカ的に停止することでフィルム走行を停止することができる。なお、５はカメラ背面を開閉する裏蓋である。
【００１１】
図２も参照して説明すると、スプロケット４の軸４ａに一体化されたギア６にはギア７が噛み合い、スプロケット４の回転に伴ってギア６を介してギア７が回転する。ここで、フィルムＦＩの１駒はパーフォレーション８個分に相当するが、スプロケット４の歯４ｂの数は６であるため、フィルム１駒分の走行につきスプロケット４およびギア６は４／３回転する。一方、ギア６が１回転する間にギア７が３／４回転するようギア比が設定されており、したがってギア７はフィルム１駒分の走行につき丁度１回転することになる。そして、撮影後のフィルム巻上げ時、ギア７が１回転すると不図示のレバーがスプロケット４の回転をメカ的に止め、フィルム走行を停止する。これによりフィルムＦＩの１駒送りが実現される。
【００１２】
ギア７に隣接してＣＰＵ起動スイッチ（以下、単に起動スイッチと呼ぶ）８が配置されるとともに、ギア７にはこの起動スイッチ８をオン・オフさせるためのカム部７ａが一体的に設けられている。起動スイッチ８は切片８ａ，８ｂから成り、通常はこれらの切片８ａ，８ｂが図２の如く非接触状態（オフ状態）を保持する。この状態でギア７が回転すると、カム部７ａが一体に回転し、所定の回転位相でカム部７ａの突起７ａ１が切片８ｂを押圧して切片８ａに接触させ、起動スイッチ８をオン状態とする（図３）。さらに回転が進むと、突起７ａ１が切片８ｂから離れ、切片８ｂは弾性力で復元し、起動スイッチ８はオフ状態となる。以下、その繰り返しとなる。なお、１２は起動スイッチ８が不用意にオンしないように切片８ａの動きを規制するストッパピンである。
起動スイッチ８は図４のＣＰＵ２１に接続され、ＣＰＵ２１がスリープ状態にあるときは、起動スイッチ８のオンに伴ってＣＰＵ２１が起動する（通常作動状態に復帰する）。
【００１３】
パルス検出器１１は、スプロケット４の軸４ａに一体化された円盤１０の回転を検出する。円盤１０には等角度間隔で複数の孔が設けられ、この円盤１０を夾むようにパルス検出器の投光部および受光部が配置される。つまりパルス検出器１１はフォトインタラプタにて構成され、円盤１０の回転に応じたパルスを出力する。そのパルスは図４のＣＰＵ２１に入力され、ＣＰＵ２１は入力パルスを計数することでフィルム走行量を検知する。そして、検知したフィルム走行量に基づいて表示ドライバ２２に指示を出し、外部表示装置１にフィルムカウンタ表示を行う。すなわち、フィルムＦＩが１駒巻上げられるたびにカウンタ表示を１だけ加算し、巻戻し表示においては、フィルムＦＩが１駒巻戻されるたびにカウンタ表示を１だけ減算する。
【００１４】
ところで、カメラは、何も操作がなされない状態が所定時間継続すると、電力の消費を抑えるために省電力モードに入り、ＣＰＵ２１はスリープ状態となる。この状態では多くのカメラ動作が停止し、ＣＰＵ２１はパルス検出器１１の出力の読み込みも外部表示装置１による表示も行わない。このため従来は、省電力モード時にフィルムの手動巻戻しを行うと巻戻し表示がなされず、撮影者はフィルムが実際に巻戻されているのか否かを確認できなかった。しかし、本実施形態においては、以下に示すように手動巻戻し操作に伴ってＣＰＵ２１を起動し、巻戻し表示を行なわしめることができる。
【００１５】
すなわち、ＣＰＵ２１がスリープ状態にあるときに撮影者が巻戻しクランク２によりノブ３を所定方向に回転させると、フィルムカートリッジのスプール軸が回転してフィルムＦＩの巻戻しが開始される。巻戻しによるフィルム走行に伴ってスプロケット４がパーフォレーションを介して回転し、その回転はギア６を介してギア７に伝達される。ギア７が回転すると、カム部７ａの突起７ａ１が起動スイッチ８の切片８ｂを押圧してスイッチ８をオンさせ、これに応答してＣＰＵ２１が起動する。起動したＣＰＵ２１は、パルス検出器１１を作動させてその出力パルスを読み込み、それに基づいてフィルム走行量を検知し、さらに表示ドライバ２２を介して外部表示装置１に巻戻し表示を行う。
【００１６】
ここで、ギア７は、上述したようにフィルム１駒分の走行につき１回転するから、手動巻戻しの開始から１駒分の巻上が行われる前に必ず起動スイッチ８がオンし、ＣＰＵ２１を起動させることができる。ＣＰＵ２１は起動した時点からパルス計数を開始するため、カウンタ表示は実際の駒数とずれることがあり得るが、１駒以上ずれることはない。また、たとえ表示がずれたとしても、フィルムが実際に巻戻されているか否かを確認する上では何ら問題はない。
【００１７】
なお上記の構成では、起動スイッチ８はフィルム１駒分の巻戻しのたびにオン・オフを繰り返すが、重要なのは最初のオフからオンへの切換わりのみであり、その後のスイッチ変化は実質的に意味をなさない。
【００１８】
本実施形態では、上記のように手動巻戻しに伴ってＣＰＵ２１を起動するにあたり、本来はフィルム走行量を検出したりフィルム走行を停止するためのスプロケット４や、ギア６，７などを利用しているので、部品点数の増加が最小限で済み、スペース的にもコスト的にも有利である。さらに、フィルム非装填の状態で巻戻しノブ３を操作してもスプロケット４は回転せず、起動スイッチ８はオンしないから、無駄にＣＰＵ２１を起動させることがなく、省電力に貢献する。
【００１９】
以上では、巻戻し表示として、巻戻しに伴って減算されてゆくフィルムカウンタ値を表示するようにしたが、単に巻戻し中であることを示すマークを表示させるだけでもよい。また、スプロケットに直接カム部を設け、そのカム部により起動スイッチをオンするようにしても上述と同様の作用効果が得られる。あるいはスプロケットを利用せず、巻戻しノブ３の回転に連動して起動スイッチがオンするよう構成してもよい。この場合はフィルムが装填されていなくても起動スイッチがオンするという不都合があるが、手動巻戻しに伴って確実に巻戻し表示を行えるという点で所期の目的を達成できる。また上記の実施形態では、フィルム走行量が１駒分に達するたびに起動スイッチ８がオンするので、この起動スイッチ８の状態に基づいてフィルムカウンタ表示（巻戻し表示を含む）を行うようにしてもよい。
なお巻戻し表示は本発明の必須要件ではない。手動巻戻しに伴ってＣＰＵに巻戻し表示以外の動作を行わせるものにも本発明を適用できる。
【図面の簡単な説明】
【００２０】
【図１】一実施形態におけるカメラを背面側から見た斜視図。
【図２】起動スイッチを操作する操作機構を説明する図で、スイッチオフ状態を示す。
【図３】図２と同様の図で、スイッチオン状態を示す。
【図４】カメラの制御系を示すブロック図。
【符号の説明】
【００２１】
１  外部表示装置
２  巻戻しクランク
３  巻戻しノブ
４  スプロケット
６，７  ギア
８  ＣＰＵ起動スイッチ
１１  パルス検出器
ＦＩ  フィルム
【図１】
2006053207.tif 000003
【図２】
2006053207.tif 000004
【図３】
2006053207.tif 000005
【図４】
2006053207.tif 000006